【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
サービスを提供するサービス提供端末と、サービスの提供を受けるクライアント端末とを通信可能に接続し、前記クライアント端末からのサービス提供要求に応じて、複数のサービス内容のなかから選択した内容のサービスを提供するシステムであって、
前記サービス提供端末は、前記サービス提供要求に応じて前記サービス内容の選択要素となるサービス選択情報の一覧を前記クライアント端末に送信する一覧送信手段と、前記クライアント端末から前記サービス選択情報の選択結果を受信したときにその選択結果に基づいて前記複数のサービス内容のなかから提供すべきサービス内容を選択するサービス選択手段と、前記サービス選択手段で選択した内容のサービスを前記クライアント端末に対して提供するサービス提供手段とを有し、
前記クライアント端末は、ユーザに関するユーザ情報を記憶するためのユーザ情報記憶手段と、前記サービス提供端末から前記サービス選択情報の一覧を受信したときに前記ユーザ情報記憶手段のユーザ情報に基づいて前記サービス選択情報の一覧のなかから前記サービス選択情報を選択する情報選択手段と、前記情報選択手段の選択結果を前記サービス提供端末に送信する選択結果送信手段とを有することを特徴とするサービス提供システム。
【請求項２】
請求項１において、
前記サービス提供端末は、前記サービス選択情報の一覧に含まれる複数のサービス内容についてその関連を示すサービス関連情報を前記クライアント端末に送信するサービス関連情報送信手段を有し、
前記クライアント端末は、前記サービス提供端末から前記サービス関連情報を受信したときにそのサービス関連情報に基づいて前記ユーザ情報記憶手段のユーザ情報を更新するユーザ情報更新手段を有することを特徴とするサービス提供システム。
【請求項３】
請求項２において、
前記ユーザ情報は、ユーザの興味又は嗜好に関する興味情報を含み、
前記ユーザ情報更新手段は、前記サービス関連情報に基づいて、前記ユーザ情報に新たな興味情報を追加し、前記ユーザ情報の興味情報を新たな興味情報に変更し、又は前記ユーザ情報の興味情報を削除するようになっていることを特徴とするサービス提供システム。
【請求項４】
請求項１において、
前記サービス提供端末は、前記サービス選択情報の一覧に含まれる複数のサービス内容についてその関連を示すサービス関連情報を記憶するためのサービス関連情報記憶手段と、前記クライアント端末から前記サービス選択情報の選択結果を受信したときにその選択結果に基づいて前記サービス関連情報記憶手段のサービス関連情報を更新するサービス関連情報更新手段とを有することを特徴とするサービス提供システム。
【請求項５】
請求項４において、
前記サービス関連情報更新手段は、前記選択結果に基づいて、前記サービス関連情報に新たな関連を追加し、前記サービス関連情報の関連を新たな関連に変更し、又は前記サービス関連情報の関連を削除するようになっていることを特徴とするサービス提供システム。
【請求項６】
請求項１乃至５のいずれかに記載のサービス提供システムに適用される前記サービス提供端末であって、
前記サービス提供要求に応じて前記サービス内容の選択要素となるサービス選択情報の一覧を前記クライアント端末に送信する一覧送信手段と、前記クライアント端末から前記サービス選択情報の選択結果を受信したときにその選択結果に基づいて前記複数のサービス内容のなかから提供すべきサービス内容を選択するサービス選択手段と、前記サービス選択手段で選択した内容のサービスを前記クライアント端末に対して提供するサービス提供手段とを備えることを特徴とするサービス提供端末。
【請求項７】
請求項６において、
前記サービス選択情報の一覧に含まれる複数のサービス内容についてその関連を示すサービス関連情報を前記クライアント端末に送信するサービス関連情報送信手段を備えることを特徴とするサービス提供端末。
【請求項８】
請求項６において、
前記サービス選択情報の一覧に含まれる複数のサービス内容についてその関連を示すサービス関連情報を記憶するためのサービス関連情報記憶手段と、前記クライアント端末から前記サービス選択情報の選択結果を受信したときにその選択結果に基づいて前記サービス関連情報記憶手段のサービス関連情報を更新するサービス関連情報更新手段とを備えることを特徴とするサービス提供端末。
【請求項９】
請求項８において、
前記サービス関連情報更新手段は、前記選択結果に基づいて、前記サービス関連情報に新たな関連を追加し、前記サービス関連情報の関連を新たな関連に変更し、又は前記サービス関連情報の関連を削除するようになっていることを特徴とするサービス提供端末。
【請求項１０】
請求項１乃至５のいずれかに記載のサービス提供システムに適用される前記クライアント端末であって、
ユーザに関するユーザ情報を記憶するためのユーザ情報記憶手段と、前記サービス提供端末から前記サービス選択情報の一覧を受信したときに前記ユーザ情報記憶手段のユーザ情報に基づいて前記サービス選択情報の一覧のなかから前記サービス選択情報を選択する情報選択手段と、前記情報選択手段の選択結果を前記サービス提供端末に送信する選択結果送信手段とを備えることを特徴とするクライアント端末。
【請求項１１】
請求項１０において、
前記サービス提供端末から前記サービス関連情報を受信したときにそのサービス関連情報に基づいて前記ユーザ情報記憶手段のユーザ情報を更新するユーザ情報更新手段を備えることを特徴とするクライアント端末。
【請求項１２】
請求項１１において、
前記ユーザ情報は、ユーザの興味又は嗜好に関する興味情報を含み、
前記ユーザ情報更新手段は、前記サービス関連情報に基づいて、前記ユーザ情報に新たな興味情報を追加し、前記ユーザ情報の興味情報を新たな興味情報に変更し、又は前記ユーザ情報の興味情報を削除するようになっていることを特徴とするクライアント端末。
【請求項１３】
請求項１乃至５のいずれかに記載のクライアント端末と通信可能に接続し、前記クライアント端末からのサービス提供要求に応じて、複数のサービス内容のなかから選択した内容のサービスを提供するサービス提供プログラムを記憶した記憶媒体であって、
前記サービス提供要求に応じて前記サービス内容の選択要素となるサービス選択情報の一覧を前記クライアント端末に送信する一覧送信手段と、前記クライアント端末から前記サービス選択情報の選択結果を受信したときにその選択結果に基づいて前記複数のサービス内容のなかから提供すべきサービス内容を選択するサービス選択手段と、前記サービス選択手段で選択した内容のサービスを前記クライアント端末に対して提供するサービス提供手段とで実現される処理をコンピュータに実行させるためのプログラムを記憶したことを特徴とするコンピュータ読み取り可能な記憶媒体。
【請求項１４】
請求項１乃至５のいずれかに記載のサービス提供端末と通信可能に接続し、前記サービス提供端末に対して、複数のサービス内容のなかから選択した内容のサービスを提供することを要求するサービス提供要求プログラムを記憶した記憶媒体であって、
ユーザに関するユーザ情報を記憶するためのユーザ情報記憶手段を備えるコンピュータに対して、前記サービス提供端末から前記サービス選択情報の一覧を受信したときに前記ユーザ情報記憶手段のユーザ情報に基づいて前記サービス選択情報の一覧のなかから前記サービス選択情報を選択する情報選択手段と、前記情報選択手段の選択結果を前記サービス提供端末に送信する選択結果送信手段とで実現される処理を実行させるためのプログラムを記憶したことを特徴とするコンピュータ読み取り可能な記憶媒体。
【請求項１５】
複数のディジタルコンテンツについてタイトル及びコンテンツＩＤを対応付けて登録したコンテンツ一覧を送信するサービス提供端末と通信可能に接続するクライアント端末であって、
ユーザの要求事項を示すユーザ情報を記憶するためのユーザ情報記憶手段と、前記ユーザ情報記憶手段のユーザ情報に基づいて前記コンテンツ一覧のなかからディジタルコンテンツを選択する情報選択手段と、前記情報選択手段で選択したディジタルコンテンツのコンテンツＩＤを前記サービス提供端末に送信する選択結果送信手段とを備え、
前記情報選択手段は、前記コンテンツ一覧を受信したときは、前記ユーザ情報記憶手段のユーザ情報からユーザの興味や嗜好に適合すると思われる単語を抽出し、抽出した単語と、受信したコンテンツ一覧に含まれるタイトルとの一致の度合いを判定し、一致の度合いが最も大きいタイトルに対応するディジタルコンテンツを選択するようになっていることを特徴とするクライアント端末。
【手続補正２】
【補正対象書類名】明細書
【補正対象項目名】００１３
【補正方法】変更
【補正の内容】
【００１３】
また、ユーザ情報記憶手段は、ユーザ情報をあらゆる手段でかつあらゆる時期に記憶するものであり、ユーザ情報をあらかじめ記憶してあるものであってもよいし、ユーザ情報をあらかじめ記憶することなく、本システムの動作時に外部からの入力等によってユーザ情報を記憶するようになっていてもよい。以下、請求項１０および１５記載のクライアント端末において同じである。


【手続補正３】
【補正対象書類名】明細書
【補正対象項目名】００４５
【補正方法】変更
【補正の内容】
【００４５】
このような構成であれば、記憶媒体に記憶されたサービス提供要求プログラムがコンピュータによって読み取られ、読み取られたプログラムに従ってコンピュータが処理を実行したときは、請求項１０記載のクライアント端末と同等の作用が得られる。
一方、上記目的を達成するために、本発明に係る請求項１５記載のクライアント端末は、複数のディジタルコンテンツについてタイトル及びコンテンツＩＤを対応付けて登録したコンテンツ一覧を送信するサービス提供端末と通信可能に接続するクライアント端末であって、ユーザの要求事項を示すユーザ情報を記憶するためのユーザ情報記憶手段と、前記ユーザ情報記憶手段のユーザ情報に基づいて前記コンテンツ一覧のなかからディジタルコンテンツを選択する情報選択手段と、前記情報選択手段で選択したディジタルコンテンツのコンテンツＩＤを前記サービス提供端末に送信する選択結果送信手段とを備え、前記情報選択手段は、前記コンテンツ一覧を受信したときは、前記ユーザ情報記憶手段のユーザ情報からユーザの興味や嗜好に適合すると思われる単語を抽出し、抽出した単語と、受信したコンテンツ一覧に含まれるタイトルとの一致の度合いを判定し、一致の度合いが最も大きいタイトルに対応するディジタルコンテンツを選択するようになっている。
このような構成であれば、コンテンツ一覧を受信すると、情報選択手段により、ユーザ情報記憶手段のユーザ情報からユーザの興味や嗜好に適合すると思われる単語が抽出され、抽出された単語と、受信したコンテンツ一覧に含まれるタイトルとの一致の度合いが判定され、一致の度合いが最も大きいタイトルに対応するディジタルコンテンツが選択される。そして、選択結果送信手段により、選択されたディジタルコンテンツのコンテンツＩＤがサービス提供端末に送信される。
【手続補正４】
【補正対象書類名】明細書
【補正対象項目名】０１０２
【補正方法】変更
【補正の内容】
【０１０２】
上記第１の実施の形態において、ディジタルコンテンツは、請求項１、６、１０、１３または１４記載のサービス内容に対応し、コンテンツＩＤは、請求項１、６、１０、１３または１４記載のサービス選択情報に対応し、コンテンツ一覧３００は、請求項１、６、１０、１３または１４記載のサービス選択情報の一覧に対応している。また、ユーザ情報登録ＤＢ６４は、請求項１、１０、１４または１５記載のユーザ情報記憶手段に対応し、ステップＳ１０８は、請求項１、６または１３記載の一覧送信手段に対応し、ステップＳ１１２は、請求項１、６または１３記載のサービス選択手段に対応している。また、ステップＳ１１６は、請求項１、６または１３記載のサービス提供手段に対応し、ステップＳ２０８は、請求項１、１０、１４または１５記載の情報選択手段に対応し、ステップＳ２１０は、請求項１、１０、１４または１５記載の選択結果送信手段に対応している。


【手続補正５】
【補正対象書類名】明細書
【補正対象項目名】０１３７
【補正方法】変更
【補正の内容】
【０１３７】
また、上記第２の実施の形態において、ディジタルコンテンツは、請求項１、２、６、７、１０、１３または１４記載のサービス内容に対応し、コンテンツＩＤは、請求項１、２、６、７、１０、１３または１４記載のサービス選択情報に対応し、コンテンツ一覧３００は、請求項１、２、６、７、１０、１３または１４記載のサービス選択情報の一覧に対応している。また、ユーザ情報登録ＤＢ６４は、請求項１、１０、１４または１５記載のユーザ情報記憶手段に対応し、ステップＳ１０８は、請求項１、６または１３記載の一覧送信手段に対応し、ステップＳ１１２は、請求項１、６または１３記載のサービス選択手段に対応している。また、ステップＳ１１６は、請求項１、６または１３記載のサービス提供手段に対応し、ステップＳ２０８は、請求項１、１０、１４または１５記載の情報選択手段に対応し、ステップＳ２１０は、請求項１、１０、１４または１５記載の選択結果送信手段に対応している。


【手続補正６】
【補正対象書類名】明細書
【補正対象項目名】０１６３
【補正方法】変更
【補正の内容】
【０１６３】
また、上記第３の実施の形態において、ディジタルコンテンツは、請求項１、４、６、８、１０、１３または１４記載のサービス内容に対応し、コンテンツＩＤは、請求項１、４、６、８、１０、１３または１４記載のサービス選択情報に対応し、コンテンツ一覧３００は、請求項１、４、６、８、１０、１３または１４記載のサービス選択情報の一覧に対応している。また、ユーザ情報登録ＤＢ６４は、請求項１、１０、１４または１５記載のユーザ情報記憶手段に対応し、ステップＳ１０８は、請求項１、４、６、８または１３記載の一覧送信手段に対応し、ステップＳ１１２は、請求項１、６または１３記載のサービス選択手段に対応している。また、ステップＳ１１６は、請求項１、６または１３記載のサービス提供手段に対応し、ステップＳ２０８は、請求項１、１０、１４または１５記載の情報選択手段に対応し、ステップＳ２１０は、請求項１、１０、１４または１５記載の選択結果送信手段に対応している。


【手続補正７】
【補正対象書類名】明細書
【補正対象項目名】０１７９
【補正方法】変更
【補正の内容】
【０１７９】
一方、本発明に係る請求項１０ないし１２、および１５記載のクライアント端末によれば、請求項１記載のサービス提供システムと同等の効果が得られる。